(57)【特許請求の範囲】
【請求項１】
撮影光を透過させる開口を有し、その開口を開閉するレンズシャッタ装置において、
上記開口を遮蔽する開口遮蔽部と、上記開口を遮蔽する位置にある際に当該開口遮蔽部よりも光軸から離れた外方位置であって閉鎖回動方向に向けて突出する突出部と、を有する二枚以上のセクタと、
上記セクタを開閉可能に収納している空間を形成する支持部材と、
上記セクタを挟んで上記支持部材の各内面から当該セクタに向けて形成されていて、上記セクタ同士の光軸方向における位置の規制と解放とを切り換える一組の突状部と、
を具備し、
上記セクタの各々が上記開口を遮蔽する遮閉位置またはその近傍に位置している際には当該各セクタに設けられた突出部が上記一組の突状部の各々に当接し、当該一組の突状部の間隙において回動可能に介在した状態で光軸方向に規制され、上記各セクタに設けられた上記突出部が上記遮蔽位置及びその近傍以外に位置している際には上記各セクタに設けられた上記突出部が上記一組の突状部の各々から離間し、光軸方向において解放された状態になっていることを特徴とするレンズシャッタ装置。
【請求項２】
上記一組の突状部の一方は、球面状をしていることを特徴とする請求項１記載のレンズシャッタ装置。
【発明の詳細な説明】
【０００１】
【発明の属する技術分野】
本発明は、複数のセクタを適用するレンズシャッタ装置の構造に関するものである。
【０００２】
【従来の技術】
従来、撮影光透過用開口の大きさを変化させるための光量絞り装置として提案された特開昭６３−１９６３６号公報に開示のものは、絞り羽根を地板上に摺動可能に保持した光量絞り装置に関するものであり、上記絞り羽根が地板から浮き上がるのを防止する浮き上がり防止部材を地板に一体的に設けたものである。そして、上記絞り羽根は、開閉動作領域では上記浮き上がり防止部材と線接触しながら摺動する。このように摺動させることにより良好な遮光状態を得るようにしている。
【０００３】
また、撮影光が透過する開口を開閉する従来のシャッタ装置として、４枚羽根構成のレンズシャッタ装置があるが、このシャッタ装置は、羽根枚数を増やすことにより一枚の羽根の大きさを小さくして、シャッタの投影面積をできるだけ小さくしたものである。
【０００４】
【発明が解決しようとする課題】
上述の特開昭６３−１９６３６号公報に開示のものは、絞り羽根が開口の開状態から閉状態まで同じ隙間を保持した状態で浮き上がり部材部材と線接触しながら摺動するものであり、開放から閉鎖まで全過程において連続して比較的大きな駆動負荷が作用する可能性がある。したがって、上記公報に開示の装置は、駆動負荷をできるだけ小さくし、しかも、閉状態での光の洩れを効果的に遮蔽するための考慮がなされたものではない。
【０００５】
また、上述の従来の４枚羽根構成のレンズシャッタ装置では、羽根の枚数が多いことから、羽根枚数に応じた光軸方向の共通の隙間を設ける必要があった。従って、シャッタ閉の状態にて４枚の羽根の光軸方向の位置が片寄って、比較的大きな隙間が生じることも考えられ、その隙間から光が洩れ易いという不具合があった。
【０００６】
本発明は、上述の不具合を解決するためになされたものであり、確実な遮光と駆動負荷の軽減とを実現可能な複数枚羽根構成のレンズシャッタ装置を提供することを目的とする。
【０００７】
【課題を解決するための手段】
本発明のレンズシャッタ装置は、撮影光を透過させる開口を有し、その開口を開閉するレンズシャッタ装置において、上記開口を遮蔽する開口遮蔽部と、上記開口を遮蔽する位置にある際に当該開口遮蔽部よりも光軸から離れた外方位置であって閉鎖回動方向に向けて突出する突出部と、を有する二枚以上のセクタと、上記セクタを開閉可能に収納している空間を形成する支持部材と、上記セクタを挟んで上記支持部材の各内面から当該セクタに向けて形成されていて、上記セクタ同士の光軸方向における位置の規制と解放とを切り換える一組の突状部と、を具備し、上記セクタの各々が上記開口を遮蔽する遮閉位置またはその近傍に位置している際には当該各セクタに設けられた突出部が上記一組の突状部の各々に当接し、当該一組の突状部の間隙において回動可能に介在した状態で光軸方向に規制され、上記各セクタに設けられた上記突出部が上記遮蔽位置及びその近傍以外に位置している際には上記各セクタに設けられた上記突出部が上記一組の突状部の各々から離間し、光軸方向において解放された状態になっていることを特徴とする。
【００１０】
【発明の実施の形態】
以下、本発明の実施の形態を図に基づいて説明する。
図１は、本発明の一実施の形態であるレンズシャッタ装置の分解斜視図である。本レンズシャッタ装置は、主に支持部材であるケース１、および、ケース蓋２と、開閉方向に回動走行可能な４枚のセクタ、すなわち、１組の主羽根３，副羽根４、および、他の１組の主羽根５，副羽根６と、駆動ピン７ａを有する駆動レバー７とで構成される。
【００１１】
上記ケース１には、光軸Ｏと直交する面であって、上記羽根が収容される空間を形成する内面１ｋと、上記内面１ｋに沿って配設される開口部１ａと、上記羽根を回動自在に支持する支持ピン１ｂ，１ｃ，１ｄ，１ｆと、主羽根５の延出部５ｄの回動軌跡上であって、閉位置にある主羽根５の支え部となる突状部１ｇと、駆動レバー７の駆動ピン７ａの挿通穴１ｉと、駆動レバー７を回動可能に支持するレバー支持ピン１ｊとが配設されている。なお、上記支持ピン１ｄは、主羽根５の回動穴部５ａ周辺の光軸（Ｏ）方向の支え用の段部１ｅを有している。また、上記突状部１ｇには斜面１ｈが設けられている。
【００１２】
上記ケース蓋２には、光軸Ｏと直交する面であって、上記羽根が収容される空間を形成する面２ｋと、上記面２ｋに沿って配設される開口２ａと、上記支持ピン１ｂ，１ｃ，１ｄ，１ｆが嵌入する軸穴２ｂ，２ｃ，２ｄ，２ｆと、主羽根３の延出部３ｄの回動軌跡上であって、主羽根３の支え部となる球面状の突状部２ｇとが配設されている。なお、上記軸穴２ｂは、主羽根３の回動穴部３ａ周辺の光軸方向の支え用の突部２ｅに設けられている。
【００１３】
上記主羽根３には、開口遮蔽部３ａと、支持ピン１ｂに回動自在に嵌合する回動支持穴部３ｂと、駆動ピン７ａが嵌入する回動駆動用長穴３ｃと、上記開口遮蔽部より外方位置であって閉鎖回動方向に向けて突出する突出部３ｄとが設けられている。また、副羽根４には、開口遮蔽部４ａと、支持ピン１ｃに回動自在に嵌合する回動支持穴部４ｂと、駆動ピン７ａが嵌入する回動駆動用の長穴４ｃとが設けられている。
【００１４】
一方、上記主羽根５には、開口遮蔽部５ａと、支持ピン１ｄに回動自在に嵌合する回動支持穴部５ｂと、駆動ピン７ａが嵌入する回動駆動用長穴５ｃと、上記開口遮蔽部より外方位置であって閉鎖回動方向に向けて突出する突出部５ｄとが設けられている。また、副羽根６には、開口遮蔽部６ａと、支持ピン１ｆに回動自在に嵌合する回動支持穴部６ｂと、駆動ピン７ａが嵌入する回動駆動用長穴６ｃとが設けられている。
【００１５】
上記駆動レバー７は、ケース１に回動自在に支持されており、付勢バネによりシャッタ閉方向に付勢されている。そして、開閉時にプランジャ等のアクチュエータにより回動駆動される。
【００１６】
図２は、本レンズシャッタ装置のシャッタ閉状態での図１のＡ−Ａ′断面図を示し、図３は、同じく閉状態での図１のＢ−Ｂ′断面の模式図を示している。また、図４は、ケース蓋を外した状態のシャッタ閉状態での平面図であって、このうち図４（Ａ）は本実施形態のレンズシャッタ装置に対応し、図４（Ｂ）はその変形例のレンズシャッタ装置に対応する。そして、図５は、同じくケース蓋を外した状態のシャッタ開状態での平面図で、主羽根のみを示している。
【００１７】
図２，３に示すようにケース１とケース蓋２で形成される内部空間には上記４枚の主・副羽根が開口１ａ側から羽根６，５，３，４の順で重畳した状態で、各支持ピン１ｆ，１ｅ，１ｂ，１ｃにそれぞれ回動可能に嵌入している。
【００１８】
主羽根３は、支持ピン軸穴２ｂの突部２ｅによりその回動支持穴部３ｂ周りがケース蓋２内面から所定の離間距離に保持され、常時、副羽根４側への移動が規制されている。また、図３，４（Ａ）に示すように閉鎖位置Ｐ3Aにあるときは、ケース蓋の突状部２ｇが主羽根３の突出部３ｄに当接するので、上記突出部３ｄがケース蓋２内面から所定の離間距離に保持され、副羽根４側に移動しないように規制される。
【００１９】
副羽根４は、主羽根３が、常時、当接する突部２ｅ、および、閉状態にて当接する突状部２ｇと、ケース蓋２の内面で形成されるスペ−スに配設されるが、そのスペ−スは、副羽根４が抵抗なく回動可能な限度の狭いスペ−スとなっている。
【００２０】
同様に主羽根５は、支持ピン段部１ｅにより回動支持穴部５ｂ周りがケース１内面から所定の離間距離で保持され、常時、副羽根６側への移動が規制されている。また、図３，４に示すように閉状態の回動位置Ｐ5Aにあるときは、主羽根５の突出部５ｄがケースの突状部１ｇに当接し、ケース１内面から所定の離間距離で保持され、副羽根６側に移動しないよう規制される。
【００２１】
副羽根６は、主羽根５が、常時、当接する段部１ｅおよび閉状態で当接する突状部１ｇと、ケース１の内面で形成されるスペ−スに配設されるが、そのスペ−スは、副羽根６が抵抗なく回動可能な限度の狭いスペ−スとなっている。
【００２２】
また、主羽根３と主羽根５は、回動支持穴部３ｂ，５ｂ周りが、軸穴の突部２ｅと支持ピンの段部１ｅの間隔の隙間ｄ1 に介在した状態で、常時、規制され、支持される。さらに、閉状態の回動位置Ｐ3A，Ｐ5Aにあるときは、主羽根３の突出部３ｄ，５ｄが上記突状部２ｇ，１ｇに当接し、上記突状部２ｇ，１ｇの間隔の隙間ｄ2 に介在した状態で規制される。そして、上記間隔ｄ1 ，ｄ2 ともに主羽根３と主羽根５が抵抗なく回動可能な限度の狭い間隔に設定されている。
【００２３】
なお、開状態で主羽根３，５が副羽根４，６側にそれぞれ片寄っていて、主羽根３，５間の隙間が広がっているような場合は、閉状態になったときに、上記突状部２ｇ，１ｇが主羽根３，５間を狭めるように作用することになる。
【００２４】
また、シャッタ開状態から半開状態で主羽根３および５は、図５に示すようにそれぞれ開位置Ｐ3C，Ｐ5Cから半開位置Ｐ3B，Ｐ5Bにあり、主羽根３および５の突出部３ｄ，５ｄが突状部２ｇ，１ｇから離間した位置にある。したがって、上記主羽根３および５の突出部３ｄ，５ｄは、突状部２ｇ，１ｇによる光軸方向の規制が解放された状態になっている。
【００２５】
次に、以上のように構成された本実施の形態のレンズシャッタ装置におけるシャッタ開閉動作について説明する。
まず、シャッタ閉状態では、主羽根３，５は、閉位置Ｐ3A，Ｐ5Aにあり、副羽根４，６も閉位置にあり、開口部１ａが完全に閉鎖されている。その状態では、主羽根の突出部３ｄ，５ｄは、図３，４（Ａ）に示すように突状部２ｇ，１ｇに乗り上げた状態で保持されている。一方、回動支持穴部３ｂ，５ｂ周りは、常時、突部２ｅと段部１ｅにより光軸方向の位置が規制されている。したがって、各羽根３，４，５，６は片寄ることなく互いに略均等の狭い隙間で、特に、主羽根３，５間が極めて狭い隙間に保持されることから、各羽根の遮光部３ａ，４ａ，５ａ，６ａからの光の洩れがない状態に維持されている。
【００２６】
そこで、シャッタ開動作が開始されると、主羽根３，５，副羽根４，６は、それぞれ開方向に回動する。主羽根３，５は、閉位置に近い半開位置Ｐ3B，Ｐ5B（図５参照）を通過するとき、主羽根の突出部３ｄ，５ｄが突状部２ｇ，１ｇから離れ、以降、開位置Ｐ3C，Ｐ5Cまでの間、突状部２ｇ，１ｇによる光軸方向の規制のない状態になる。
【００２７】
したがって、閉状態では上述したように各羽根３，４，５，６が互いに狭い隙間で保持されていたとしても、上記半開位置から開位置への走行過程中では、各羽根、特に主羽根の光軸方向の位置の自由度が増える。そのため、上記走行過程中の駆動負荷は極めて少なくなり、スムーズな駆動状態が得られる。なお、上記走行過程中は、主羽根の突出部３ｄ，５ｄが突状部２ｇ，１ｇと離れていることから、各羽根は光軸方向に片寄り易くなり、光が羽根の隙間を僅かに洩れる可能性がある。しかし、上記期間は、半開状態から開状態の過程であって、隙間からの光の洩れは問題にならない。
【００２８】
シャッタ開状態に到達後、再度、各羽根は閉方向に向けて回動走行し、上記開状態から半開状態まで上述の走行状態と逆の過程を経て、主羽根３，５は、突出部３ｄ，５ｄが突状部２ｇ，１ｇに乗り上げ後、閉位置Ｐ3A，Ｐ5Aまで回動する。同時に副羽根４，６も閉位置まで回動し、上述したシャッタ閉状態に戻る。
【００２９】
上述したように本実施の形態のレンズシャッタ装置は、前述した従来のレンズシャッタ装置のように開閉動作の全過程で一定の比較的大きな負荷が作用することやシャッタ閉状態で確実な光の洩れ防止ができなかったことなどを解決し、シャッタ閉状態に近い半開状態で主羽根の光軸方向の位置の規制と解放を切り換えるようにして、シャッタ閉状態での各羽根を最少で均等な隙間状態に保持することを可能となり、光の洩れを確実に防止している。そして、開放開始から開状態までの間、極めて小さい駆動負荷で走行駆動することができ、安定した走行状態を得ることができ、シャッタ秒時の高速化も容易になる。
【００３０】
次に、上記実施の形態のレンズシャッタ装置の変形例として、ケース，ケース蓋の突状部をそれぞれ主羽根回動範囲の閉鎖方向端部に配設したものについて説明する。
なお、本変形例は、基本的には上述の一実施の形態と略同様の構成からなるものであって、レンズシャッタ装置の一部を変形して構成した例を示すものである。したがって、以下の説明では上述の一実施の形態とは異なる部分のみを詳述する。また、図４（Ｂ）において、上述の一実施の形態とは異なる部材にダッシュ（′）を付した符号を用いている。
本変形例の装置においては、図４（Ｂ）のシャッタ閉状態の平面図に示すケース１の突状部１ｇ′とケース蓋２の突状部２ｇ′が回動範囲内の端部に配設されることを特徴とする。本シャッタ装置では主羽根３，５が完全閉位置およびその極近傍にあるときのみ、主羽根３，５の突出部３ｄ，５ｄが突状部２ｇ′，１ｇ′に当接しており、主羽根の光軸方向の移動が規制される。そして、上記以外の羽根回動位置では突出部３ｄ，５ｄが突状部２ｇ′，１ｇ′から離間し、該突状部による光軸方向の規制が解放される。
【００３１】
したがって、本変形例のレンズシャッタ装置においては、シャッタ開閉動作の内、僅かな期間の閉鎖期間を除いた殆ど大半の露光開口期間で主羽根３，５が比較的自由度のある状態で回動することから、軽い駆動負荷での安定した走行状態が得られる。しかも、シャッタ閉状態では突出部３ｄ，５ｄが突状部２ｇ′，１ｇ′に当接していることから、前記実施の形態のレンズシャッタ装置と同様に羽根の遮光部からの光の漏れのない閉鎖状態が得られる。
【００３２】
なお、上記実施の形態のレンズシャッタ装置における突状部の配設位置としては、上述の位置に限らず、それ以外であってもよく、本発明の目的を達成する限りにおいては、適宜、主羽根の変形や負荷変動等を考慮した適切な位置に設定することができる。
【００３３】
また、上記突状部の形状としては、上記実施の形態のように必ずしもケース側とケース蓋側で異なる形状を適用する必要はなく、双方とも球面形状、または、斜面をもつ突起形状等の同一形状の突状部を設けるようにしてもよい。
【００３４】
また、上記突状部をケース側に設けず、セクタ３，４側に設ける構造を採用することも可能である。この場合、セクタに設けられる突状部は、セクタが閉位置にあるときに、ケース１、または、ケース蓋２の平面部である内面１ｋ，２ｋに当接可能とする。そして、セクタが開位置にあるときは、上記各セクタの突状部は、ケース１、または、ケース蓋２の内面１ｋ，２ｋに設けられる凹状の逃げ部と対向することになる。
【００３５】
また、上記実施の形態の装置におけるセクタである羽根は、４枚構成のものであったが、これに限らず、例えば、２枚構成等のレンズシャッタ装置であっても本発明は適用可能である。
【００３６】
（付記）
上述した本発明の実施の形態に基づいて、次のような構成を有するレンズシャッタ装置を提案できる。すなわち、
（１）  撮影光を透過させる開口を有し、その開口を開閉するレンズシャッタ装置において、
上記開口を開閉する二枚以上のセクタと、
上記セクタを開閉可能に収納している空間を形成する支持部材と、
上記空間内に設けられ、上記セクタが閉状態のとき、もしくは、上記セクタの閉に向けて走行途中に上記セクタ同士の光軸方向の隙間を規制する突状部を上記セクタに向けて形成したことを特徴とするレンズシャッタ装置。
【００３７】
（２）  上記二枚以上のセクタは、回動可能であって重畳して配設されており、上記突状部は、重畳されたセクタのうち、中間位置に配設されるセクタの二枚に当接可能とすることを特徴とする付記１記載のレンズシャッタ装置。
【００３８】
（３）  上記突状部は、球面形状の突起部、または、斜面を有する台形状の突起部であることを特徴とする付記１記載のレンズシャッタ装置。
【００３９】
（４）  上記突状部は、上記開口の閉状態にあるときのみセクタと当接可能な位置に配設されていることを特徴とする付記１記載のレンズシャッタ装置。
【００４０】
（５）  撮影光を透過させる開口を有し、その開口を開閉するレンズシャッタ装置において、
上記開口を開閉する二枚以上のセクタと、
上記セクタを開閉可能に収納している空間を形成する支持部材と、
上記セクタが閉状態のとき、もしくは、上記セクタの閉に向けて走行途中に上記セクタ同士の光軸方向の隙間を規制する突状部を上記支持部材に向けて、少なくとも二枚のセクタ上に形成したことを特徴とするレンズシャッタ装置。
【００４１】
【発明の効果】
本発明によれば、シャッタ閉状態で各セクタを最小で均等な隙間状態に保持することが可能となり、光の漏れを確実に防止することができる。また、各セクタの解放開始から開状態までの間、極めて小さい駆動負荷で走行駆動することができるので、安定した走行状態を得ることができ、シャッタ秒時の高速化も容易になる。
また、走行途中に設けた突状部によりセクタ閉状態でセクタ同士の光軸方向位置が片寄ることなく、可能な限り少ない隙間状態で支持することが可能になり、確実な遮光が行え、さらに、駆動負荷の軽減も可能となる。
【００４２】
さらに、上記突状部が支持部材に設けられていることから上記突状部によるセクタの支持位置の精度が向上する。
【００４３】
そして、上記支持部材の光軸と直交する平面により形成される空間にセクタが組み込まれ、上記突状部が上記平面に形成されるので、セクタのスムーズな開閉駆動が行え、さらに、上記突状部によるセクタの支持位置の精度が向上する。
【図面の簡単な説明】
【図１】本発明の一実施の形態であるレンズシャッタ装置の分解斜視図。
【図２】図１のレンズシャッタ装置のシャッタ閉状態でのＡ−Ａ′断面図。
【図３】図１のレンズシャッタ装置のシャッタ閉状態でのＢ−Ｂ′断面の模式図。
【図４】図１のレンズシャッタ装置のケース蓋を外した状態でのシャッタ閉状態での平面図。
【図５】図１のレンズシャッタ装置のケース蓋を外した状態でのシャッタ開状態での平面図で、主羽根のみを示す。
【符号の説明】
１  ……ケース（支持部材）
１ａ……開口
２  ……ケース蓋（支持部材）
３，５……主羽根（セクタ）
１ｇ，２ｇ，１ｇ′，２ｇ′……突状部
Ｏ  ……光軸
【図１】
0003983859.tif 000002
【図２】
0003983859.tif 000003
【図３】
0003983859.tif 000004
【図４】
0003983859.tif 000005
【図５】
0003983859.tif 000006